(57)【特許請求の範囲】
【請求項１】
一側壁に流入口を有し他側壁に流出口を有する槽の内部に仕切板を設けると共に、流入口の前方下側に阻集バスケットを脱着自在に取付けたグリーストラップにおいて、
上記流入口の先端に、リング体の下部から該リング体の曲率と同じ曲率で凹曲する舌片を前方に向かって突設したゴム製の流入口ガイド部材の該リング体を嵌着し、該舌片の先端を上記阻集バスケットの上端開口部に臨ませたことを特徴とするグリーストラップ。
【請求項２】
上記流入口ガイド部材のリング体を拡径して上記流入口の先端に外嵌着したことを特徴とする請求項１に記載のグリーストラップ。
【請求項３】
グリーストラップの流入口に取付けるゴム製の流入口ガイド部材であって、該流入口に嵌着するリング体の下部から、該リング体の曲率と同じ曲率で凹曲する舌片を前方に向かって突設したことを特徴とする流入口ガイド部材。
【請求項４】
上記リング体の内径を上記流入口の外径よりも小さくしたことを特徴とする請求項３に記載の流入口ガイド部材。
【請求項５】
上記舌片の厚みを上記リング体の厚みよりも薄くしたことを特徴とする請求項３又は請求項４に記載の流入口ガイド部材。
【請求項６】
上記舌片を上記リング体の下部に１／４周〜１／３周の幅で形成したことを特徴とする請求項３ないし請求項５のいずれかに記載の流入口ガイド部材。
【請求項７】
上記舌片を若干前下がりとなるように傾斜させて形成したことを特徴とする請求項３ないし請求項６のいずれかに記載の流入口ガイド部材。
【発明の詳細な説明】
【０００１】
【発明の属する技術分野】
本発明は、槽内の阻集バスケットの上端フランジ部分に固形物が溜まるのを防止することができるグリーストラップと、その流入口ガイド部材に関する。
【０００２】
【従来の技術】
周知のように、グリーストラップは、飲食店や一般家庭の厨房から排出される雑排水に含まれている油脂分を分離する装置である。
【０００３】
斯かるグリーストラップの一般的なものは、一側壁に流入口を有し他側壁に流出口を有する槽の内部に仕切板を設けると共に、図１１に示すように、流入口２の前方下側に阻集バスケット７を取付けた構造を有している。この阻集バスケット７は、その上端フランジ７ａを槽の一側壁１ａ内面の支持片１０と仕切板４の支持段部４ａに係止させることによって、脱着自在に取付けられている。
【０００４】
【発明が解決しようとする課題】
しかしながら、上記のグリーストラップにおいては、流入口２の先端が阻集バスケット７の上端開口部の上方まで突き出すと、阻集バスケット７を取り出して内部の固形物を捨てる際に、阻集バスケット７の上端フランジ７ａが流入口２の先端に当たって取り出すことができないため、図１１に示すように、流入口２の先端が阻集バスケット７の上端フランジ７ａの手前となるように流入口２を設けざるを得ない。
【０００５】
このように流入口２の先端を阻集バスケット７の上方まで突出させることができないグリーストラップにあっては、図１１に矢印Ｘで示すように多量の雑排水が流入口２から阻集バスケット７へ勢い良く流入する場合は問題ないけれども、矢印Ｙで示すように少量の雑排水が流入口２から勢いなく流入する場合は、雑排水が阻集バスケット７の上端フランジ７ａに流れ落ちてからバスケット内部へ流入するため、上端フランジ７ａや支持片１０の上に固形物Ｓが溜まるという問題がある。このように上端フランジ７ａ等の上に溜まった固形物Ｓは、役所による検査の際に指摘事項となるだけでなく、見た目に不潔感があり、悪臭発生の原因にもなるため、固形物Ｓが溜まらないように改善する必要がある。
【０００６】
本発明は上記の問題に対処すべくなされたもので、その目的とするところは、阻集バスケットの上端フランジの上に固形物が溜まることがなく、阻集バスケットの出し入れも容易に行うことができるグリーストラップと、その流入口ガイド部材を提供することにある。
【０００７】
【課題を解決するための手段】
上記目的を達成するため、請求項１に係る発明は、一側壁に流入口を有し他側壁に流出口を有する槽の内部に仕切板を設けると共に、流入口の前方下側に阻集バスケットを脱着自在に取付けたグリーストラップにおいて、
上記流入口の先端に、リング体の下部から該リング体の曲率と同じ曲率で凹曲する舌片を前方に向かって突設したゴム製の流入口ガイド部材の該リング体を嵌着し、該舌片の先端を上記阻集バスケットの上端開口部に臨ませたことを特徴とするものである。
【０００８】
このグリーストラップでは、流入口から流れ込む雑排水の勢いが弱くても、流入口ガイド部材の凹曲する舌片上を流れて阻集バスケットの上端開口部からバスケット内部へ流入するため、阻集バスケットの上端フランジ等の上に固形物が溜まるのを防止することができる。しかも、ゴム製の流入口ガイド部材の舌片は弾性変形可能であって、阻集バスケットを取り出すときには該舌片が上端フランジにより下方から押されて上方へ撓むため、阻集バスケットを引き上げるだけで簡単に槽外へ取り出すことができる。そして、阻集バスケットを収容装着するときには該舌片が上端フランジにより上方から押されて下方へ撓むため、阻集バスケットを押し込むだけで簡単に槽内へ収容装着することができる。
【０００９】
次に、請求項２に係る発明は、上記請求項１のグリーストラップにおいて、その流入口ガイド部材のリング体を拡径して上記流入口の先端に外嵌着したことを特徴とするものである。
【００１０】
ゴム製の流入口ガイド部材のリング体は弾性的な伸びによって拡径可能であるため、上記のようにリング体を拡径して流入口の先端に外嵌着すると、ワンタッチで流入口ガイド部材の取付け作業が完了し、しかも、リング体の弾性復元力によって強個に締付固定することができる。
【００１１】
また、請求項３に係る発明は、グリーストラップの流入口に取付けるゴム製の流入口ガイド部材であって、該流入口に嵌着するリング体の下部から、該リング体の曲率と同じ曲率で凹曲する舌片を前方に向かって突設したことを特徴とするものである。
【００１２】
かかる流入口ガイド部材は、そのリング体をグリーストラップの流入口に嵌着するだけで簡単に取付けることができ、流入口に取付けると、前述したように雑排水が凹曲する舌片上を流れて阻集バスケットの上端開口部からバスケット内部へ流入するため、阻集バスケットの上端フランジ等の上に固形物が溜まるのを防止することができる。しかも、この流入口ガイド部材の舌片は弾性変形可能であって、前述したように阻集バスケットの出し入れの際に撓むため、邪魔になることはない。
【００１３】
次に、請求項４に係る発明は、上記請求項３の流入口ガイド部材において、そのリング体の内径を上記流入口の外径よりも小さくしたことを特徴とするものである。
【００１４】
このような流入口ガイド部材は、リング体を弾性的に拡径させて流入口に外嵌着することによりワンタッチで簡単に取付けることができ、しかも、リング体の弾性復元力によって強個に締付固定することができる。
【００１５】
次に、請求項５に係る発明は、上記請求項３又は４の流入口ガイド部材において、その舌片の厚みをリング体の厚みよりも薄くしたことを特徴とするものである。
【００１６】
このような流入口ガイド部材は、厚みの薄い舌片が弾性変形しやすく容易に撓むため、阻集バスケットの出し入れ作業を一層スムーズに行えるようになる。
【００１７】
次に、請求項６に係る発明は、上記請求項３〜５のいずれかの流入口ガイド部材において、その舌片をリング体の下部に１／４周〜１／３周の幅で形成したことを特徴とするものである。
【００１８】
このような流入口ガイド部材は、雑排水が舌片の両側からこぼれ落ちる心配が殆どなく、しかも、舌片の腰の強さが適度であるため、雑排水の重さで舌片が下方へ折れる心配もなくなる。舌片の幅が１／４周より狭い場合は、雑排水が舌片の両側からこぼれ易くなり、また、舌片の腰も弱くなるので雑排水の重さで下方へ折れる恐れが生じる。一方、舌片の幅が１／３周より広くなると、かなり多量の雑排水が流れた場合でも舌片の両側からこぼれ難くなるが、舌片の腰が強くなり過ぎて撓みにくくなるため、阻集バスケットの出し入れの際に舌片が引掛かりやすくなる。
【００１９】
次に、請求項７に係る発明は、上記請求項３〜６のいずれかの流入口ガイド部材において、その舌片を若干前下がりとなるように傾斜させて形成したことを特徴とするものである。
【００２０】
このように舌片を傾斜させた流入口ガイド部材は、雑排水の流入量が少なくても舌片の上をスムーズに流れるので、雑排水に含まれている固形物が舌片の上に残る心配がない。
【００２１】
【発明の実施の形態】
以下、図面を参照して本発明の具体的な実施形態を詳述する。
【００２２】
図１は本発明の一実施形態に係るグリーストラップの平面図（蓋体を除去した平面図）、図２は同グリーストラップの縦断面図、図３は同グリーストラップの要部拡大断面図、図４は同グリーストラップの阻集バスケットを取り出すときの状態を示す要部拡大断面図、図５は同グリーストラップの阻集バスケットを収容するときの状態を示す要部拡大断面図、図６は本発明の流入口ガイド部材をグリーストラップの流入口に取付ける前の状態を示す斜視図、図７は同流入口ガイド部材をグリーストラップの流入口に取付けた状態を示す斜視図、図８は同流入口ガイド部材の正面図、図９は同流入口ガイド部材の平面図、図１０は図８のＡ−Ａ線断面図である。
【００２３】
図１、図２に示すグリーストラップは、長方形の槽１の一側壁１ａに流入口２を有し、他側壁１ｂに流出口３を有するものであって、この槽１の内部には３枚の仕切板４，５，６が取付けられている。第一の仕切板４と第三の仕切板６は、槽１の底壁１ｃとの間に通水間隙が形成されるように取付けられ、中央の第二の仕切板５は、底壁１ｃとの間に通水間隙が形成されないように底壁１ｃから立上げて取付けられている。また、槽１の上端外周縁には蓋受けフランジ１ｄが一体に形成され、図２に示すように槽１の上端開口部を覆う蓋体１ｅが被着されている。
【００２４】
上記流入口２の前方下側には、流入口から流れ込む雑排水中の固形物を分離して溜める通水自在な阻集バスケット７が取付けられている。この阻集バスケット７は、パンチングメタル等の通水自在な金属板を用いて作製された箱型のバスケットであって、その上端開口部の四周外縁には上端フランジ７ａが形成されており、この上端フランジ７ａから逆Ｕ字状の一対の取手７ｂが立設されている。
【００２５】
図３に示すように、この阻集バスケット７は、上端フランジ７ａを槽１の一側壁１ａ内面に固定された支持片１０と第一仕切板４の支持段部４ａとに係止させることによって、脱着自在に取付けられている。尚、この支持片１０に代えて槽１の一側壁１ｃに支持段部を形成し、この支持段部と上記の第一仕切り板４の支持段部４ａに阻集バスケット７の上端フランジ７ａを係止させて、脱着自在に取付けるように構成してもよい。
【００２６】
また、第二の仕切板５と第三の仕切板６との間には、取手付きの保持枠８ａに保持された接触材８が介装されている。この接触材８は、雑排水に含まれる細かい油の粒子を付着させて大粒の粒子に成長させ、その浮力によって第一仕切板４と第三仕切板６の間の水面へ浮上、分離させる働きをするものである。
【００２７】
一方、流出口３にはチーズ継手９（三方開口継手）の側部接続口が接続され、その上部接続口には蓋材９ａが脱着自在に被着されている。従って、この蓋材９ａを取り除くと、チーズ継手９の上部接続口から掃除具を槽１内や流出口３内へ挿入して、比較的容易に清掃を行うことができる。
【００２８】
このグリーストラップの大きい特徴は、図３に拡大して示すように、流入口ガイド部材１１を流入口２に取付け、この流入口ガイド部材の舌片１１ｂを阻集バスケット７の上端開口部に臨ませたところにある。
【００２９】
この流入口ガイド部材１１は、軟質の合成ゴムを用いて作製されたもので、図６、図７、図８、図９、図１０に示すように、流入口２の先端に外嵌着されるリング体１１ａと、その下部に一体形成されて前方へ突き出す舌片１１ｂとを備えている。この流入口ガイド部材１１は、リング体１１ａの内径が流入口２の先端の外径よりも小さくなるように作製されているため、該リング体１１ａを弾性的に伸ばして拡径した状態で流入口２の先端にワンタッチで簡単に外嵌着することが可能であり、このように外嵌着した状態では、該リング体１１ａの弾性復元力（収縮力）が緊締力として作用するため強個に固定することが可能である。
【００３０】
この流入口ガイド部材１１の舌片１１ｂは、流入口２から流れ込む雑排水を阻集バスケット７の上端開口部まで導く役目をするもので、上記リング体１１ａの曲率と同じ曲率で凹曲した浅い樋状に形成されており、図３に示すようにリング体１１ａを流入口２の先端に外嵌着して取り付けた状態では、舌片１１ｂの先端が阻集バスケット７の上端開口部まで達している。
【００３１】
この舌片１１ｂは弾性変形が可能であり、図４に示すように阻集バスケット７を槽外へ取り出す際に上端フランジ７ａが下方から舌片１１ｂに当たると、該舌片１１ｂが上方へ弾性変形して容易に撓むため、流入口ガイド部材１１を取り除かなくても阻集バスケット７を取り出すことができる。そして、図５に示すように阻集バスケット７を収容装着する際に上端フランジ７ａが上方から該舌片１１ｂに当たると、該舌片１１ｂが下方へ弾性変形して容易に撓むため、流入口ガイド部材１１を取り除かなくても阻集バスケット７を装着することができる。
【００３２】
図１０に示すように、この舌片１１ｂの厚みはリング体１１ａの厚みよりも薄く形成することが好ましく、このように薄く形成すると、舌片１１ｂが更に弾性変形し易くなるので、阻集バスケット７の出し入れ作業を一層スムーズに行えるようになり、メンテナンスが容易となる。舌片１１ｂの好ましい具体的な厚みは１ｍｍ程度である。
【００３３】
また、この舌片１１ｂは、リング体１１ａの下部に１／４周〜１／３周の幅Ｗで形成することが望ましく、その場合は、既述したように雑排水が舌片１１ｂの両側からこぼれ落ちる心配が殆どない上に、舌片１１ｂの腰の強さが適度であるため雑排水の重さで舌片１１ｂが下方へ折れる心配も殆どない。舌片１１ｂの幅Ｗが１／４周より狭くなると、既述したように雑排水がこぼれ易くなり、舌片１１ｂの腰も弱くなるので雑排水の重さで下方へ折れる恐れが生じる。一方、舌片１１ｂの幅Ｗが１／３周より広くなると、既述したように多量の雑排水が流れてもこぼれ難くなるが、舌片１１ｂの腰が強くなり過ぎて撓みにくいため、阻集バスケット７の出し入れの際に舌片１１ｂが引っ掛かりやすくなるといった不都合が生じる。
【００３４】
更に、この舌片１１ｂは、図１０に示すように若干前下がりとなるように傾斜させて形成することが好ましく、このように傾斜させると、雑排水の流入量がすくない場合でも舌片１１ｂの上をスムーズに流れるため、雑排水に含まれる固形物が舌片１１ｂの上に残る心配も解消される。舌片１１ｂの好ましい具体的な勾配は２／１００〜４／１００程度である。
【００３５】
以上のようなゴム製の流入口ガイド部材１１を流入口２に取付けたグリーストラップは、流入口２から流れ込む雑排水の流量が少ない場合でも、雑排水が流入口ガイド部材１１の凹曲する舌片１１ｂの上を流れて阻集バスケット７の上端開口部からバスケット内部へ流入するため、従来のグリーストラップのように阻集バスケット７の上端フランジ７ａ等の上に固形物Ｓが溜まるのを充分に防止することができる。従って、清潔感が向上し、悪臭の発生も抑制することができる。
【００３６】
阻集バスケット７に流入した雑排水は阻集バスケット７を透過し、透過できない固形物は阻集バスケット７の内部に溜められる。そして、阻集バスケット７を透過した雑排水は、第一仕切板４と底壁１ｃとの間の通水間隙を通って上昇し、このとき、雑排水に含まれる大きい油滴の大部分は水面に浮上して分離される。このように大きい油滴の大部分が浮上分離された雑排水は、第二仕切板５を越えて接触材８を通過し、第三仕切板６と底壁１ｃとの間の通水間隙を通ってチーズ継手９の下部接続口から流出口３を通って排出される。その場合、雑排水に含まれている細かい油分は接触材８に付着して大きい油滴に成長し、その浮力で水面に浮上して分離されるため、油分の除去効率が高く、流出口３から排出される雑排水には油分が殆ど含まれない。
【００３７】
また、阻集バスケット７内部の固形物を除去するために阻集バスケット７を出し入れする場合は、既述したように流入口ガイド部材１１の舌片１１ｂが弾性変形して上下に撓むため、流入口ガイド部材１１を取り除かなくても、阻集バスケット７の出し入れを容易に行うことができる。従って、このグリーストラップはメンテナンスも簡単である。
【００３８】
【発明の効果】
以上の説明から明らかなように、本発明によれば、固形物が阻集バスケットの上端フランジの上に溜まるのを防止することができ、それによって清潔感が向上すると共に悪臭の発生を抑制することが可能となり、阻集バスケットの出し入れも容易に行うことができるといった顕著な効果を奏する。
【図面の簡単な説明】
【図１】本発明の一実施形態に係るグリーストラップの平面図(蓋体を除去した平面図)である。
【図２】同グリーストラップの縦断面図である。
【図３】同グリーストラップの要部拡大断面図である。
【図４】同グリーストラップの阻集バスケットを取り出すときの状態を示す要部拡大断面図である。
【図５】同グリーストラップの阻集バスケットを収容するときの状態を示す要部拡大断面図である。
【図６】本発明の流入口ガイド部材をグリーストラップの流入口に取付ける前の状態を示す斜視図である。
【図７】同流入口ガイド部材をグリーストラップの流入口に取付けた状態を示す斜視図である。
【図８】同流入口ガイド部材の正面図である。
【図９】同流入口ガイド部材の平面図である。
【図１０】図８のＡ−Ａ線断面図である。
【図１１】従来のグリーストラップの部分断面図である。
【符号の説明】
１  槽
１ａ  一側壁
１ｂ  他側壁
２  流入口
３  流出口
４，５，６  仕切板
７  阻集バスケット
７ａ  上端フランジ
１１  流入口ガイド部材
１１ａ  リング体
１１ｂ  舌片
Ｗ  舌片の幅
【図１】
0003777391.tif 000002
【図２】
0003777391.tif 000003
【図３】
0003777391.tif 000004
【図４】
0003777391.tif 000005
【図５】
0003777391.tif 000006
【図６】
0003777391.tif 000007
【図７】
0003777391.tif 000008
【図８】
0003777391.tif 000009
【図９】
0003777391.tif 000010
【図１０】
0003777391.tif 000011
【図１１】
0003777391.tif 000012